(57)【要約】【課題】レンズを光軸に沿う方向に駆動することができる高強度な小型のレンズ駆動装置、および撮像装置を提供することを目的とする。【解決手段】磁力線を発生するコイルと、コイルの表面を覆ってなる円筒形状の外形を有する、コイルによって発生される磁力線を円筒形状内に導いて磁場を形成し、このレンズ駆動装置にかかる応力を受けるコイルケースとからなるステータと、ステータの円筒形状内に位置する、ステータによって形成される磁場によってステータに対して回転駆動されるロータと、ロータの円筒形状の更に内側に位置して、レンズを保持するレンズホルダと、ロータの回転駆動による力の方向をレンズの光軸に沿う方向へと変換してレンズホルダに伝達する変換機構とを備える。【選択図】        図４
2005345515.tif 000002
【特許請求の範囲】
【請求項１】
レンズを光軸に沿う方向に駆動させるレンズ駆動装置において、
円筒形状に巻回された導線の束からなる、磁力線を発生するコイルと、前記コイルの表面を覆ってなる円筒形状の外形を有する、該コイルによって発生される磁力線を該円筒形状内に導いて磁場を形成する、このレンズ駆動装置にかかる応力を受けるコイルケースとからなるステータと、
前記ステータの円筒形状内に位置して該円筒形状と同軸の円筒形状を有する、該ステータによって形成される磁場によって該ステータに対して回転駆動されるロータと、
前記ロータの円筒形状の更に内側に位置して、レンズを、光軸が該円筒形状の軸に沿うように保持するレンズホルダと、
前記ロータの回転駆動による力の方向を前記レンズの光軸に沿う方向へと変換して前記レンズホルダに伝達する変換機構とを備えたことを特徴とするレンズ駆動装置。
【請求項２】
前記コイルケースを、該コイルケースの円筒形状の両端から挟む上板および下板を備え、
前記ロータ、前記レンズホルダ、および前記変更機構が、前記コイルケース、前記上板、および前記下板によって囲われた空間内に納められていることを特徴とする請求項１記載のレンズ駆動装置。
【請求項３】
前記上板および前記下板を繋ぐ、前記コイルケースを取り囲んだ複数の柱を備えたことを特徴とする請求項２記載のレンズ駆動装置。
【請求項４】
レンズを光軸に沿う方向に駆動させ、該レンズで被写体光を結像させて、該被写体光を表わす画像データを取得する撮像装置において、
円筒形状に巻回された導線の束からなる、磁力線を発生するコイルと、前記コイルの表面を覆ってなる円筒形状の外形を有する、該コイルによって発生される磁力線を該円筒形状内に導いて磁場を形成する、この撮像装置にかかる応力を受けるコイルケースとからなるステータと、
前記ステータの円筒形状内に位置して該円筒形状と同軸の円筒形状を有する、該ステータによって形成される磁場によって該ステータに対して回転駆動されるロータと、
前記ロータの円筒形状の更に内側に位置して、レンズを、光軸が該円筒形状の軸に沿うように保持するレンズホルダと、
前記ロータの回転駆動による力の方向を前記レンズの光軸に沿う方向へと変換して前記レンズホルダに伝達する変換機構と、
前記レンズを通ってきた被写体光を結像させて、被写体光を表わす画像データを取得する撮像機構とを備えたことを特徴とする撮像装置。
【発明の詳細な説明】
【技術分野】
【０００１】
本発明は、レンズを光軸に沿う方向に駆動するレンズ駆動装置、および被写体光を表わす画像データを取得する撮像装置に関する。
【背景技術】
【０００２】
携帯電話やＰＤＡ（Ｐｅｒｓｏｎａｌ  Ｄｉｇｉｔａｌ  Ａｓｓｉｓｔａｎｔ）などといった小型機器に、被写体を撮影してデジタルの撮影画像を取得する撮像装置を内蔵することが広範に行われている。日ごろから常に携帯している小型機器に撮像装置が備えられることによって、デジタルカメラやビデオカメラを持ち運ぶ手間をかけずに、いつでも手軽に撮影を行うことができる。また、これらの小型機器には、無線や赤外線などを使ったデータ通信機能が予め搭載されていることが一般的であり、撮影した撮影画像をその場ですぐに他の携帯電話やパーソナルコンピュータなどに送ることができるなどという利点もある。
【０００３】
しかし、携帯電話などといった小型機器に内蔵される撮像装置は、通常のデジタルカメラと比較してかなり小型なために、レンズやＣＣＤ（Ｃｈａｒｇｅ  Ｃｏｕｐｌｅ  Ｄｅｖｉｃｅ）などといった構成要素の大きさや、それら構成要素を収納するスペースが大幅に制限される。このため、これらの小型機器は、デジタルカメラの代替機器として用いられるには撮影機能や撮影画像の画質等が不十分であり、メモ替わりに画像を得る場合や、携帯電話等の待ち受け画面用の画像を得る場合などのように、画質を要求されない撮影用に用途が限定されることが多い。
【０００４】
これらの点に関し、近年では、高画素の小型ＣＣＤや、高コントラストな小型レンズなどが開発されてきており、携帯電話やＰＤＡなどといった小型機器を使って撮影される撮影画像の高画質化が急速に進んでいる。残る課題である撮影機能の充実においては、特に、これらの小型機器に、デジタルカメラには標準的に搭載されているオートフォーカス機能やズーム機能が搭載されることが望まれている。
【０００５】
オートフォーカス機能やズーム機能は、撮像装置内で複数のレンズを光軸に沿う方向（以下では、光軸に沿う方向を前後方向と称する）に移動させることによって実現される。デジタルカメラやデジタルビデオカメラ等では、レンズ駆動方法として、ＤＣモータやステッピングモータなどの回転を利用する方法や、圧電素子の圧縮伸長を利用する方法などが知られている。これらの方法を、携帯電話などといった小型機器に適用する場合、装置の小型化、およびレンズの移動制御の精度などの点から、レンズが保持されたレンズ鏡筒の外周を取り囲む円筒形状の中空ロータを、その中空ロータの外周を取り囲むステータにパルス電流を与えることによって回転させる中空ステッピングモータを用いる方法が好ましいと考えられる。
【０００６】
このような中空ステッピングモータを適用したレンズ駆動方法としては、例えば、レンズ鏡筒とロータとの間にカム機構などといった移動機構を介して、レンズ鏡筒を光軸に沿う方向に駆動させる方法（例えば、特許文献１、特許文献２、特許文献３参照）や、ロータ自体でレンズ鏡筒を移動させる方法（例えば、特許文献４、特許文献５、特許文献６）や、レンズ鏡筒とロータを一体化する方法（例えば、特許文献７）などが提案されている。
【０００７】
また、中空ステッピングモータが用いられた撮像装置は、ステータやロータなど複数の部品で構成されており、それらの部品が外部からの応力に持ちこたえる強固な筐体の内部に格納されている。このような筐体を用いることによって、外部から力が加えられたときでも、部品同士がぶつかってしまったり、ロータの回転ががたついてしまうなどという不具合を回避して、精度良くレンズを駆動することができる。
【特許文献１】特開昭５６−１４７１３２号公報
【特許文献２】特開昭５９−１０９００６号公報
【特許文献３】特開昭５９−１０９００７号公報
【特許文献４】特開昭６０−４１５号公報
【特許文献５】特開昭６０−４１６号公報
【特許文献６】特開昭６０−４１７号公報
【特許文献７】特開昭６２−１９５６１５号公報
【発明の開示】
【発明が解決しようとする課題】
【０００８】
ここで、上述した特許文献に記載された方法は、通常サイズのデジタルカメラ等に適用されることを目的として考案されており、これらの方法をデジタルカメラよりも大幅に小型の撮像装置にそのまま適用しようとすると、部品を収納するスペースがとれないなどという不具合が生じる。これらのことから、装置の強度を維持しつつ、装置全体を小型化することが求められている。
【０００９】
本発明は、上記事情に鑑み、レンズを光軸に沿って駆動することができる高強度な小型のレンズ駆動装置、および撮像装置を提供することを目的とする。
【課題を解決するための手段】
【００１０】
上記目的を達成する本発明のレンズ駆動装置は、レンズを光軸に沿う方向に駆動させるレンズ駆動装置において、
円筒形状に巻回された導線の束からなる、磁力線を発生するコイルと、コイルの表面を覆ってなる円筒形状の外形を有する、コイルによって発生される磁力線を円筒形状内に導いて磁場を形成する、このレンズ駆動装置にかかる応力を受けるコイルケースとからなるステータと、
ステータの円筒形状内に位置して円筒形状と同軸の円筒形状を有する、ステータによって形成される磁場によって該ステータに対して回転駆動されるロータと、
ロータの円筒形状の更に内側に位置して、レンズを、光軸が該円筒形状の軸に沿うように保持するレンズホルダと、
ロータの回転駆動による力の方向をレンズの光軸に沿う方向へと変換してレンズホルダに伝達する変換機構とを備えたことを特徴とする。
【００１１】
従来、レンズを精度良く駆動させるために、ロータやステータやレンズなどといった部品を強固な筐体内に格納し、それらの部品を外部から加えられる応力から保護することが行われている。
【００１２】
本発明のレンズ駆動装置によると、コイルケースの円筒形状内に、ロータやレンズホルダや変換機構が設けられており、コイルケースがレンズ駆動装置を取り囲む構造体の一部を形成している。通常、コイルケースは、ヨークとして磁力線を導くために金属で構成されており、高い強度を有している。したがって、このレンズ駆動装置を筐体などに格納せずに、コイルホルダをむき出しのまま使用しても、コイルホルダに取り囲まれたロータやレンズホルダや変換機構などの部品は、外部から加えられる応力から保護される。また、コイルホルダをむき出しのまま用いることによって、頑丈で小型なレンズ駆動装置を実現することができる。
【００１３】
また、本発明のレンズ駆動装置において、上記コイルケースを、コイルケースの円筒形状の両端から挟む上板および下板を備え、
ロータ、レンズホルダ、および変更機構が、コイルケース、上板、および下板によって囲われた空間内に納められていることが好ましい。
【００１４】
上板、および下板を設けることによって、装置の大幅な大型化を避けて、レンズの破損等を効率よく防止することができる。
【００１５】
また、本発明のレンズ駆動装置において、上板および下板を繋ぐ、コイルケースを取り囲んだ複数の柱を備えたことが好ましい。
【００１６】
上板および下板を複数の柱で繋ぎ、それらによって囲まれた位置にコイルケースを配置することによって、精度良くコイルケースの位置決めを行うことができる。
【００１７】
また、上記目的を達成する本発明の撮像装置は、レンズを光軸に沿う方向に駆動させ、該レンズで被写体光を結像させて、該被写体光を表わす画像データを取得する撮像装置において、
円筒形状に巻回された導線の束からなる、磁力線を発生するコイルと、コイルの表面を覆ってなる円筒形状の外形を有する、コイルによって発生される磁力線を円筒形状内に導いて磁場を形成する、この撮像装置にかかる応力を受けるコイルケースとからなるステータと、
ステータの円筒形状内に位置して円筒形状と同軸の円筒形状を有する、ステータによって形成される磁場によって該ステータに対して回転駆動されるロータと、
ロータの円筒形状の更に内側に位置して、レンズを、光軸が円筒形状の軸に沿うように保持するレンズホルダと、
ロータの回転駆動による力の方向をレンズの光軸に沿う方向へと変換して前記レンズホルダに伝達する変換機構と、
レンズを通ってきた被写体光を結像させて、被写体光を表わす画像データを取得する撮像機構とを備えたことを特徴とする。
【００１８】
本発明の撮像装置によると、大きな力が加えられたときでも、レンズを精度良く駆動することができる。また、本発明の撮像装置は、装置の大型化が抑えられており、携帯電話などといった小型機器にも搭載することができる。
【００１９】
なお、本発明にいう撮像装置については、ここではその基本形態のみを示すのにとどめるが、これは単に重複を避けるためであり、本発明にいう撮像装置には、上記の基本形態のみではなく、前述したレンズ駆動装置の各形態に対応する各種の形態が含まれる。
【発明の効果】
【００２０】
本発明によれば、レンズを光軸に沿う方向に駆動することができる高強度な小型のレンズ駆動装置、および撮像装置を提供することができる。
【発明を実施するための最良の形態】
【００２１】
以下図面を参照して本発明の実施の形態を説明する。
【００２２】
図１は、本発明の一実施形態が適用された撮像装置の外観斜視図である。
【００２３】
撮像装置１は、携帯電話などに搭載される小型の撮像装置であり、光軸に沿う方向（以下、この方向を前後方向と称する）に複数のレンズを駆動させることによって、被写体に焦点を合わせるオートフォーカス機能が用意されている。この撮像装置１は、外観上、上カバー１０と、下カバー４０との間に、円筒形状を有するステータ３０が挟まれており、そのステータ３０の内側には、後述するマグネットや複数のレンズが保持されたレンズホルダ２０などが配置されている。この上カバー１０は、本発明にいう上板の一例に相当し、下カバー４０は、本発明にいう下板の一例に相当する。また、ステータ３０は、本発明にいうステータの一例に相当する。
【００２４】
図２は、図１に示す撮像装置１を直線ＡＡ´を通る面で切断するときの断面図である。
【００２５】
図２には、図１にも示す上カバー１０、下カバー４０、ステータ３０、レンズホルダ２０が示されており、さらに、第１レンズ２１、第２レンズ２２、第３レンズ２３、マグネット５０、回転体５１、ＣＣＤ６０などが示されている。
【００２６】
レンズホルダ２０、マグネット５０、および回転体５１は、ステータ３０と同軸の円筒形状を有し、ステータ３０の内側に、ステータ３０に近い側からマグネット５０、回転体５１、レンズホルダ２０の順に配置されている。ステータ３０とマグネット５０は、ステッピングモータを構成しており、ステータ３０にパルス電流が印加されると、そのパルス電流に応じた回転数だけマグネット５０が回転される。マグネット５０は、本発明にいうロータの一例に相当し、レンズホルダ２０は、本発明にいうレンズホルダの一例に相当する。
【００２７】
ここで、一旦、図２の説明を中断し、図３を使ってステータ３０とマグネット５０について詳しく説明する。
【００２８】
図３は、ステータ３０とマグネット５０を示す図である。
【００２９】
ステータ３０は、上コイル部３０ａと下コイル部３０ｂとの２層のコイル部で構成されている。上コイル部３０ａと下コイル部３０ｂとでは同様の構成を有しているため、下コイル部３０ｂの構成の説明を省き、上コイル部３０ａの構成についてのみ説明する。
【００３０】
上コイル部３０ａは、上コイルカバー３２と下コイルカバー３３とで円筒形状に取り囲まれて形成されており、カバーで取り囲まれた内部に、巻回された導線からなるコイル３１が格納されている。これら上コイルカバー３２と下コイルカバー３３は、撮像装置１にかかる応力に持ちこたえる高い強度を有している。上コイルカバー３２と下コイルカバー３３とを合わせたものは、本発明にいうコイルケースの一例に相当する。また、上コイルカバー３２および下コイルカバー３３には、円筒形状の内側にそれぞれが互い違いに噛み合うように配置された歯３２ａ，３３ａが設けられている。これら歯３２ａと歯３３ａとの間には、ギャップが存在する。
【００３１】
上コイル部３０ａのコイル３１と、下コイル部３０ｂのコイル３１には、交互にパルス電流が印加される。パルス電流が印加されると、コイル３１では磁力線が発生し、その磁力線が上コイルカバー３２および下コイルカバー３３によって円筒形状の内側に導かれる。導かれた磁力線は、歯３２ａ，３３ａに達すると、一旦空気中に出てギャップを越える。これによって、互いに噛み合うように配置された歯３２ａ，３３ａの一方がＮ極、他方がＳ極となり、ステータ３０の円筒形状の内周に沿ってＮ極、Ｓ極の磁場が交互に形成される。
【００３２】
マグネット５０は、例えば、内周に沿ってＮ極、Ｓ極が交互に形成されているリング状のヘッドの内部を通過させられることによって、円筒形状の外周に沿ってＮ極、Ｓ極交互に磁極化された永久磁石である。マグネット５０は、ステータ３０によって形成される磁場との反発力および吸引力によって、ステータ３０に対して回転駆動される。
【００３３】
マグネット５０の回転駆動について説明する。
【００３４】
マグネット５０は、４８極に磁極化されており、上コイル部３０ａおよび下コイル部３０ｂの歯はそれぞれ４８個ずつ設けられている。また、上コイル部３０ａの歯の位置と、下コイル部３０ｂの歯の位置とでは、歯の半個分ずつずれている。ステータ３０にパルス電流が後述するように通電されると、マグネット５０は、１極分を１ステップとして回転し、４８ステップで１周回転する。
【００３５】
マグネット５０を順方向に回転させるときには、上コイル部３０ａの順方向、下コイル部３０ｂの順方向、上コイル部３０ａの逆方向、下コイル部３０ｂの逆方向という順番で通電を繰り返すことによって、マグネット５０を順方向に確実に回転させることができる。また、上コイル部３０ａの順方向、下コイル部３０ｂの逆方向、上コイル部３０ａの逆方向、下コイル部３０ｂの順方向という順番で通電を繰り返すことによって、マグネット５０を逆方向に回転させることができる。
【００３６】
以上で、図３の説明を終了し、図２に戻って説明する。
【００３７】
図２に示す回転体５１は、マグネット５０の内側に接着されており、マグネット５０の回転に伴って回転される。この回転体５１の内面には、らせん溝５１ａが設けられており、このらせん溝５１ａがレンズホルダ２０の外面に設けられたらせん溝２０ａ（後述する）と噛み合っている。
【００３８】
レンズホルダ２０は、上カバー１に近い側から第１レンズ２１、第２レンズ２２、第３レンズ２３の順に並べられたレンズを保持している。これら第１レンズ２１、第２レンズ２２、第３レンズ２３は、以下の条件を満たしている。
【００３９】
まず、第１レンズ２１は、この例では、ガラス材料によって構成され、前側（上カバーに近い側）の面（以下、表面と称する）が凸面形状の、正のパワーを有するメニスカス形状である。
【００４０】
第２レンズ２２は、プラスチック材によって構成され、この例では、裏面が非球面形状で、表面が凹面形状の、負のパワーを有するメニスカス形状である。
【００４１】
第３レンズ２３は、プラスチック材によって構成され、表裏面の両面が非球面形状であり、裏面が光軸近傍において凹面形状の、負のパワーを有する形状である。
【００４２】
また、レンズ系全体の近軸焦点距離をｆ、第３レンズ２３の近軸焦点距離をｆ３、第１レンズ２１の表面の曲率半径をＲ１、最大像高における半画角をθとすると、
０．６＜Ｒ１／ｆ＜０．８    ……（１）
−１．０＜ｆ３／ｆ＜０      ……（２）
０．６０＜ｔａｎθ＜０．７０……（３）
を満たす。
【００４３】
上記のような条件を満たす第１レンズ２１、第２レンズ２２、第３レンズ２３を適用することによって、コンパクトで高精度なレンズ群を構成することができる。
【００４４】
また、レンズホルダ２０の、第１レンズ２１の側方のスペースには、前後方向に延びる凸部２０ｂが設けられており、第２レンズ２２、および第３レンズ２３を保持している部分の外面には、らせん溝２０ａが設けられている。
【００４５】
このレンズホルダ２０が前後方向に駆動される機構について説明する。
【００４６】
ステータ３０にパルス電流が通電されると、マグネット５０の回転に伴って、回転体５１が４８ステップごとに１周回転される。回転体５１のらせん溝５１ａは、レンズホルダ２０のらせん溝５１ａよりも２周分（＝９６ステップ分）多く設けられており、レンズホルダ２０は、９６ステップ分の移動が可能である。
【００４７】
回転体５１の回転力は、らせん溝５１ａとらせん溝２０ａによって前後方向の力に変換される。変換された前後方向の力は、レンズホルダ２０に伝えられ、レンズホルダ２０が前後方向に駆動される。本実施形態では、レンズホルダ２０は、フルストローク（＝９６ステップ分）で前後方向に約１．２５ｍｍ移動し、１ステップでは前後方向に約１３μｍ移動する。つまり、この撮像装置１では、レンズ位置を１３μｍ単位で制御することができる。らせん溝５１ａとらせん溝２０ａとを合わせたものは、本発明にいう変換機構の一例に相当する。
【００４８】
図２に示す上カバー１０と下カバー４０とは、ビス７０（図２には示さない。図４参照）によって繋がっている。
【００４９】
上カバー１０には、レンズホルダ２０の凸部２０ｂに相応する部分に、前後方向に延びた、凸部２０ｂと嵌合する凹部が設けられている。マグネット４０の回転力は、らせん溝５１ａとらせん溝２０ａによってレンズホルダ２０に伝えられるが、レンズホルダ２０の回転方向への移動が規制されていない場合、レンズホルダ２０が回転しながら前後方向に移動されるため、レンズの偏心によって像がずれてしまう恐れがある。レンズホルダ２０の凸部２０ｂと、上カバーの凸部２０ｂとが互いに嵌り合うことによって、このようなレンズホルダ２０の回転が防止される。
【００５０】
また、下カバー４０は、ローパスフィルタ４１とＣＣＤ６０とを保持している。
【００５１】
第１レンズ２１、第２レンズ２２、および第３レンズ２３を通ってきた被写体光は、ローパスフィルタ４１を通ってＣＣＤ６０に受光される。ローパスフィルタ４１では、被写体光に含まれる不要に緻密な空間周波数成分が均される。このローパスフィルタ４１を介すことによって、擬色やモアレなどといった不具合を軽減させることができる。
【００５２】
ローパスフィルタ４１を通ってきた被写体光は、ＣＣＤ６０で受光され、被写体を表わす画像データが生成される。ＣＣＤ６０は、本発明にいう撮像機構の一例に相当する。
【００５３】
以上のような撮像装置１において、以下のような手順でオートフォーカス機能が実現される。尚、ここでは、ステータ３０に順方向のパルス電流を通電することによって、レンズホルダ２０は前方向に移動するものとして説明する。
【００５４】
まず、ＣＣＤ６０において被写体光が粗く読み取られ、被写体光を表わす低解像度データが生成される。この低解像度データは、撮像装置１が備えられた携帯電話等のＣＰＵに伝えられる。
【００５５】
続いて、ステータ３０に、レンズホルダ２０を１ステップ分移動させるための順方向のパルス電流が通電される。
【００５６】
ステータ３０にパルス電流が通電されると、マグネットが１ステップ分回転し、そのマグネットの回転に伴って、回転体５１が回転される。回転体５１の回転力は、前方向の力に変換されてレンズホルダ２０に伝えられ、レンズホルダ２０が前方向に約１３μｍ移動する。
【００５７】
レンズホルダ２０が移動すると、再びＣＣＤ６０で被写体光が読み取られて低解像度データが生成される。この低解像度データも、撮像装置１が備えられた携帯電話等のＣＰＵに伝えられる。
【００５８】
ＣＰＵでは、ＣＣＤ６０から伝えられた２つの低解像度データそれぞれのコントラストが検出され、検出されたコントラストのうちどちらのコントラストが大きいかが判定される。先の低解像度データのコントラストの方が大きい場合には、レンズホルダ２０を後方向に１ステップ分戻す逆方向のパルス電流がステータ３０に通電され、後の低解像度データのコントラストの方が大きい場合には、レンズホルダ２０を前方向にさらに１ステップ分移動させる順方向のパルス電流がステータ３０に通電される。
【００５９】
上記のように、レンズホルダ２０を移動させてコントラストを検出する処理を、先の低解像度データのコントラストと、後の低解像度データのコントラストとの大小が反転するまで最大で９６ステップ分続ける。それらのコントラストの大小が反転したら、ステータ３０に、その直前に通電した方向とは逆の方向のパルス電流を通電して、レンズホルダ２０を１ステップ分戻す。このときのレンズホルダ２０の位置が、コントラストが最大となる合焦位置となる。
【００６０】
撮像装置１は、基本的には以上のように構成されている。
【００６１】
ここで、この撮像装置１は、装置全体を小型化するために、筐体等に格納されておらず、上カバー１０、ステータ３０、下カバー４０によって取り囲まれることにより、筐体に替わる構造体が構成されている。
【００６２】
図４は、撮像装置１の分解斜視図である。
【００６３】
この撮像装置１は、上カバー１０に設けられた複数の柱１１と下カバー４０とがビス７０によって繋げられ、それら上カバー１０、柱１１、下カバー４０によって囲まれる空間にステータ３０が配置される。柱１１は、ステータ３０の位置を決定するために用意されるものであり、本発明にいう柱の一例に相当する。ビス７０は、柱１１と下カバー４０とが接着剤等で接着された後に取り外されてもよいが、この例では、ビス７０を外しても撮像装置１の大きさは変わらないので、撮像装置１を組み立てた後もビス７０を装着したままにしておく。
【００６４】
ステータ３０の円筒形状内には、ステータ３０に近い側から、マグネット５０と、回転体５１と、レンズホルダ２０とが順に配置される。図３に示す、ステータ３０を構成しているコイルケース３１，３２は、磁力線を円筒形状内に導くために金属で構成されており、マグネット５０、回転体５１、およびレンズホルダ２０は、このコイルケース３１，３２に取り囲まれることによって、撮像装置１にかかる応力から保護されている。したがって、撮像装置１は筐体内に構成要素を格納せずに、ステータ３０をむき出しのまま用いることができ、装置の大型化を抑えることができる。
【００６５】
ここで、上記では、ステータにパルス電流を印加することによって、ロータの回転を制御するステッピングモータを適用する例について説明したが、本発明にいうレンズホルダを駆動するモータはＤＣモータなどであってもよい。
【００６６】
また、上記では、変換機構としてらせん溝を適用する例について説明したが、本発明にいう変換機構は、例えば、カム溝とカムピンなどであってもよい。
【００６７】
また、上記では、レンズホルダを駆動して、オートフォーカス機能を実現する例について説明したが、本発明のレンズ駆動装置および撮像装置は、例えば、ズーム機能を実現するものであってもよく、ズーム機能とオートフォーカス機能との両方を実現するものであってもよい。
【図面の簡単な説明】
【００６８】
【図１】図１に示す撮像装置１を直線ＡＡ´を通る面で切断するときの断面図である。
【図２】図１に示すコンピュータのハードウェア構成図である。
【図３】ステータ３０とマグネット５０を示す図である。
【図４】撮像装置１の分解斜視図である。
【符号の説明】
【００６９】
１    撮像装置
１０    上カバー
１０ａ    凹部
１１    柱
２０    レンズホルダ
２０ａ    らせん溝
２０ｂ    凸部
２１    第１レンズ
２２    第２レンズ
２３    第３レンズ
３０    ステータ
３０ａ    上コイル部
３０ｂ    下コイル部
３１    コイル
３２    上コイルカバー
３３    下コイルカバー
３２ａ，３３ａ    歯
４０    下カバー
４１    ローパスフィルタ
５０    マグネット
５１    回転体
５１ａ    らせん溝
６０    ＣＣＤ
【図１】
2005345515.tif 000003
【図２】
2005345515.tif 000004
【図３】
2005345515.tif 000005
【図４】
2005345515.tif 000006